(57)【要約】【課題】  構造がきわめて簡単で安価であり、その上剛性が高く、組立、家具や壁面などへの取付も容易かつ確実で、使い勝手のよい小物ホルダー及び小物ホルダー用はと目を提供する。【解決手段】  ほぼ四角形状で上下の対称位置にはと目孔２が設けられた曲げ弾性を備えた合成樹脂シートからなる本体部１を有し、この本体部１を上下方向の中央部から湾曲又は折り曲げて空間部４を形成すると共に両端部を重ね合わせ、はと目孔２を整合させてはと目３１で固定し、本体部１の中央部が有する反発力を利用して小物保持部を形成した。【選択図】        図１
2005028112.tif 000002
【特許請求の範囲】
【請求項１】
ほぼ四角形状で上下の対称位置にはと目孔が設けられた曲げ弾性を備えた合成樹脂シートからなる本体部を有し、
該本体部を上下方向の中央部から湾曲又は折り曲げて空間部を形成すると共に両端部を重ね合わせ、前記はと目孔を整合させてはと目で固定し、前記本体部の中央部が有する反発力を利用して小物保持部を形成したことを特徴とする小物ホルダー。
【請求項２】
ほぼ四角形状で上下方向の中央部から一方の側に開口部を有し、上下の対称位置にはと目孔が設けられた曲げ弾性を備えた合成樹脂シートからなる本体部を有し、
該本体部を前記中央部から湾曲又は折曲げて空間部を形成すると共に両端部を重ね合わせ、前記はと目孔を整合させてはと目で固定し、前記開口部と空間部とにより小物保持部を形成したことを特徴とする小物ホルダー。
【請求項３】
ほぼ四角形状で上下方向の中央部から両側にかけてほぼＴ字状又はＶ字状の開口部を有し、上下の対称位置にはと目孔が設けられた曲げ弾性を備えた合成樹脂シートからなる本体部を有し、
該本体部を前記中央部から湾曲又は折り曲げて空間部を形成すると共に両端部を重ね合わせ、前記はと目孔を整合させてはと目で固定し、前記開口部と空間部とにより小物保持部を形成したことを特徴とする小物ホルダー。
【請求項４】
ほぼ四角形状で上下方向の中央部の両側の対称位置に平行して横方向の開口部が設けられ、上下の対称位置にはと目孔が設けられた曲げ弾性を備えた合成樹脂シートからなる本体部を有し、
該本体部を前記中央部から折り曲げて両端部を重ね合わせ、前記はと目孔を整合させてはと目で固定し、前記開口部と中央部に形成された断面Ｖ字状の支持棒とにより小物保持部を形成したことを特徴とする小物ホルダー。
【請求項５】
ほぼ四角形状で上下方向の中央部の一方の側に１個又は複数個のほぼＵ字状又は逆Ｕ字状の舌片が設けられ、上下の対称位置にはと目孔が設けられた曲げ弾性を備えた合成樹脂シートからなる本体部を有し、
該本体部を前記中央部から湾曲又は折り曲げて両端部を重ね合わせ、前記はと目孔を整合させてはと目で固定し、前記舌片により小物保持部を形成したことを特徴とする小物ホルダー。
【請求項６】
ほぼ四角形状で上下方向の中央部の上下に亘って開口部が設けられ、該開口部の両側縁部に前記中央部を残して上下に設けた切り込み部により張出し部が形成され、上下の対称位置にはと目孔が設けられた曲げ弾性を備えた合成樹脂シートからなる本体部を有し、
該本体部を前記中央部から湾曲又は折り曲げて両端部を重ね合わせ、前記はと目孔を整合させてはと目で固定すると共に、前記張出し部を内側に湾曲又は折り曲げて支持部を形成し、該支持部と前記開口部とにより小物保持部を形成したことを特徴とする小物ホルダー。
【請求項７】
ほぼ四角形状で上下の対称位置にはと目孔が設けられた曲げ弾性を備えた合成樹脂シートからなる本体部と、該本体部の中央部から一方の側よりやや小さく形成され上部にはと目孔が設けられた合成樹脂シートからなる押えシートとを有し、
前記本体部を中央部から湾曲させて両端部を重ね合わせると共に、該重ね合わせた一方の外面に前記押えシートを当接してそのはと目孔を前記本体部のはと目孔と整合させ、はと目で固定して前記本体部と押えシートとにより小物保持部を形成したことを特徴とする小物ホルダー。
【請求項８】
左右にはと目孔が設けられた腕部と、該腕部の中央部から下方に延設され先端部にはと目孔が設けられた脚部とによりほぼＴ字状に形成された曲げ弾性を備えた合成樹脂シートからなる本体部を有し、
該本体部の腕部の両側を湾曲又は折り曲げて両端部を重ね合わせると共に、前記脚部を湾曲又は折り曲げてそのはと目孔を前記腕部のはと目孔と整合させてはと目で固定し、前記腕部により小物を収容するほぼ円筒状の小物保持部を形成したことを特徴とする小物ホルダー。
【請求項９】
脚部を有する第１の腕部と第２の腕部を連結部を介して連結し、前記第１の腕部と脚部を湾曲又は折り曲げて腕部のはと目孔及び脚部のはと目孔を整合させてはと目で固定すると共に、前記第２の腕部と脚部を湾曲又は折り曲げて腕部のはと目孔及び脚部のはと目孔をはと目で固定し、前記第１、第２の腕部によりそれぞれ小物を収容するほぼ円筒状の小物保持部を形成したことを特徴とする請求項８記載の小物ホルダー。
【請求項１０】
舌片状の保持部と、はと目孔を有し前記保持部の下部の両側に設けた固定片とによりほぼＷ字状に形成された曲げ弾性を備えた合成樹脂シートからなる本体部を有し、
該本体部の固定片を重ね合わせ、前記はと目孔を整合させてそれぞれはと目で固定し、前記保持部により小物保持部を形成したことを特徴とする小物ホルダー。
【請求項１１】
ほぼ四角形状で対称位置にはと目孔を有し、上下方向の中央部から一方の側に中央部側に向いたほぼコ字状の切り込み部が設けられ、該切り込み部に囲まれた舌片状の部分に複数の水抜孔が設けられた曲げ弾性を備えた合成樹脂シートからなる本体部を有し、
該本体部を前記中央部から湾曲又は折り曲げて両端部を重ね合わせ、前記はと目孔をそれぞれ整合させてはと目で固定し、前記切り込み部によりほぼ水平に切り起こされた舌片状の部分により小物保持部を形成したことを特徴とする小物ホルダー。
【請求項１２】
上部にはと目孔を有し狭い隙間を隔ててほぼ平行に設けられた第１、第２の固定片と、これら両固定片の下部が連結されたほぼ半円状の連結部とからなり、前記連結部から前記両固定片にかけて複数の水抜孔が設けられたほぼＵ字状の曲げ弾性を備えた合成樹脂シートからなる本体部を有し、
該本体部の第１、第２の固定片の上部を重ね合わせ、前記はと目孔を整合させてはと目で固定し、前記連結部により小物保持部を形成したことを特徴とする小物ホルダー。
【請求項１３】
１個又は複数個の開口部を有する前面部と、複数の水抜孔を有し前記前面部の一方の側に連続して設けられた底部と、はと目孔を有し前記前面部と底部の両側にそれぞれ固定片が設けられた曲げ弾性を有する合成樹脂シートからなる本体部を有し、
該本体部の底部及び固定片を折曲げて該固定片を重ね合わせ、前記はと目孔を整合させてはと目で固定し、前記開口部と前面部及び底部の間に形成された空間部とにより小物保持部を形成したことを特徴とする小物ホルダー。
【請求項１４】
前記前面部の前面側に一端が前記底部の前端部に達する開口部を設けたことを特徴とする請求項１２記載の小物ホルダー。
【請求項１５】
１個又は複数個の開口部を有する上面部と、該上面部の両端部に設けられはと目孔を有する固定片が設けられた曲げ弾性を備えた合成樹脂シートからなる本体部を有し、
該本体部の上面部を湾曲させて前記固定片を重ね合わせ、前記はと目孔をはと目で固定し、前記開口部と上面部及び固定片の間に形成された空間部とにより小物保持部を形成したことを特徴とする小物ホルダー。
【請求項１６】
外周に係止対の一方を有し前記本体部のはと目孔に挿入される胴部及び鍔部からなり、中心部に大径部と小径部からなる貫通孔が設けられた凸はと目と、中心部に前記凸はと目の胴部が挿入される貫通孔を有し、該貫通孔の内壁に前記胴部に設けた係止対の一方に係止する係止対の他方が設けられた凹はと目とからなり、前記係止対を、被装着部の板厚に応じて凸はと目と凹はと目の相対位置を調整して装着できるように構成したことを特徴とする小物ホルダー用はと目。
【発明の詳細な説明】
【技術分野】
【０００１】
本発明は、曲げ弾性を有する合成樹脂シートを湾曲又は折り曲げて小物保持部を形成し、壁面や家具などに取付けて、小物を収容したり掛けたり載置したりする小物ホルダー及び小物ホルダー用はと目に関するものである。
【背景技術】
【０００２】
従来のこの種技術に、弾力性ある板状の本体中央部に舌状の切り込み部を設け、裏面に台となる突起部を、本体上部に吸着盤やマグネット等の補助具が装着できるフックを設けた、タオルがコンパクトに掛けられるタオルクリップがある（例えば、特許文献１参照）。
【０００３】
また、可撓性シートをループ状とした筒状体よりなり、この筒状体の軸長は収容するロールタイプの紙タオルの軸長と等しいかそれより長く設定され、その内部に互いに軸平行に収容する１個ないし複数個のロールタイプの紙タオルをそのロール外形の１部に沿って保持し、更にこの筒状体にはロールタイプの紙タオルを拡げた状態で外部に引出しうる軸方向に沿った紙タオルシート引出用スリットを設け、筒状体内に保持したロールタイプの紙タオルのシートをその外周部から引出用スリットを通して連続的に引出しうるように構成した簡易紙タオルホルダーがある（例えば、特許文献２参照）。
【０００４】
また、小物が収納可能な筒状の収納部材と、同収納部材を後方で支持する線材等の支持部材との一体化構造であって、収納部材は、筒状体の上面部に小物収納用の開口部が設けられていると共に、背面部に吸着盤の取付け孔が設けられて成り、当該収納部材と支持部材との密接状態で吸着盤の頭部が前記吸着盤取付け孔に挿し込まれることにより収納部材と支持部材とを一体化したものがある（例えば、特許文献３参照）。
【０００５】
さらに、多数の通孔を開設し、円弧縁の一部に把手を設けたほぼ扇形形状の合成樹脂シートを、把手が上方に突出する形態で逆円錐状に巻回止着し、流し台のシンク部に吊り下げたり、垂直面に掛けたりして、食材、そのゴミ、その他の小物等を収納するようにした収納具がある（例えば、特許文献４参照）。
【０００６】
【特許文献１】実用新案登録第２５５６７６８号公報（第１−２頁、図１−図４）
【特許文献２】特開２００２−２９１６４９号公報（第２−３頁、図１−図３）
【特許文献３】特開２００１−１９８０２８号公報（第３−４頁、図１、２）
【特許文献４】特開２００４−７３６７７号公報（第２−３頁、図１、２）
【発明の開示】
【発明が解決しようとする課題】
【０００７】
特許文献１のタオルクリップは、本体の上部に設けたフックを吸着盤に係止させ、この吸着盤を壁面に取付けて本体を吊下げるようにしているが、タオルを掛けたり外したりする際に本体に力が加わるため、フックが吸着盤から外れ易い。また、本体の背面に２個の突起部を設けて、本体を壁面に取付けたときに本体と壁面との間に空間を形成するようにしているが、このような突起を設けるために、樹脂成形の金型が高価になる。
【０００８】
特許文献２のタオルホルダーは、ポリプロピレンフィルムをラミネートした板紙の長手方向の一側にフックを設けておき、板紙をループ状に丸めて両端部を接合して筒状体を構成し、フックにより壁等に吊下げるようにしているが、フックは板紙で形成されているので剛性に乏しく、筒状体内に収容した紙タオルを引出し用スリットから引出す際にフックに大きな力が加わり、フックが変形したり外れたりし、さらには破損するおそれがある。特に、紙タオルの使用頻度が激しい場合は、短期間でフックが破損してしまうという問題がある。
【０００９】
特許文献３の小物収納具は、吸着盤を取付ける背面が１枚の板状体で形成されていて剛性が低いため、ステンレス材等の丸棒からなる支持部材横方向に３段に設けて補強している。このため、構造が複雑で組立作業が面倒であるばかりでなく、コストが上昇して高価になるという問題がある。また、上面部の曲率が大きいため、小物を収容したときにぐらついて不安定である。
【００１０】
また、特許文献４の収納具は、シート材を逆円錐状に巻回しているが、単に係止舌片を係止孔に挿入して固定しているだけなので外れ易く、収納部が展開してこれに収納したゴミや小物が落下してしまうおそれがある。
さらに、１枚のシート材からなる把手片に吸盤を取付けて、流し台のシンク内に吊下げたり、垂直に掛けたりしているが、剛性が低いため変形したり切断したりするおそれがあり、好ましくない。
【００１１】
本発明は、上記の課題を解決するためになされたもので、構造がきわめて簡単で安価であり、その上剛性が高く、組立、壁面や家具などへの取付も容易かつ確実で、使い勝手のよい小物ホルダー及び小物ホルダー用はと目を提供することを目的としたものである。
【課題を解決するための手段】
【００１２】
本発明に係る小物ホルダーは、ほぼ四角形状で上下の対称位置にはと目孔が設けられた曲げ弾性を備えた合成樹脂シートからなる本体部を有し、該本体部を上下方向の中央部から湾曲又は折り曲げて空間部を形成すると共に両端部を重ね合わせ、前記はと目孔を整合させてはと目で固定し、前記本体部の中央部が有する反発力を利用して小物保持部を形成したものである。
【００１３】
また、本発明に係る小物ホルダー用はと目は、外周に係止対の一方を有し前記本体部のはと目孔に挿入される胴部及び鍔部からなり、中心部に大径部と小径部からなる貫通孔が設けられた凸はと目と、中心部に前記凸はと目の胴部が挿入される貫通孔を有し、該貫通孔の内壁に前記胴部に設けた係止対の一方に係止する係止対の他方が設けられた凹はと目とからなり、前記係止対を、被装着部の板厚に応じて凸はと目と凹はと目の相対位置を調整して装着できるようにしたものである。
【発明の効果】
【００１４】
本発明に係る小物ホルダーは、曲げ弾性を備えた合成樹脂シートからなる本体部を湾曲又は折り曲げて両端部を重ね合わせ、はと目により一体に固定したので、構造がきわめて簡単で安価であり、その上剛性が高いので使用中に変形したり破損したりすることがない。また、はと目を利用して、押しピン、フック、吸盤等により家具や壁面などに簡単に取付けることができるので、使い勝手のよい小物ホルダーを得ることができる。
【００１５】
また、本発明に係る小物ホルダー用はと目は、被装着部の板厚に応じて凸はと目と凹はと目の相対位置を調整しうるようにしたので、板厚が異なる場合でも重ね合わせた本体部の端部を確実に固定することができる。
【発明を実施するための最良の形態】
【００１６】
［実施の形態１］
図１は本発明の実施の形態１に係る小物ホルダーの斜視図及び側面図、図２は図１の本体部の展開図、上面図、側面図及びＡ−Ａ断面図である。
両図において、１は曲げ弾性を有する合成樹脂シート（以下の実施の形態においても同様である）からなるほぼ四角形状の本体部で、上下（長手方向）の四隅近傍の対称位置にはそれぞれはと目孔２ａ，２ｂが設けられており、また、上下方向の中央部（図の０−０線をいい、以下単に０と記す）より上方（一方の側）の幅方向には、中央部が下方に下った円弧状の小物物品挿入用の開口部３が設けられている。なお、図には本体部１の上下にそれぞれ２個のはと目孔２ａ，２ｂを設けた場合を示したが、それぞれ３個以上であってもよい。実施例では、本体部１を、縦Ｈ：５２０ｍｍ、横Ｗ：２８０ｍｍ、板厚ｔ：０．７５ｍｍとした。
【００１７】
図３は上記のような本体部１により小物ホルダーを組立てるためのはと目３１の分解図である。
はと目３１は、凸はと目３２と凹はと目４５とからなり、凸はとめ３２は本体部１のはと目孔２ａ，２ｂの径とほぼ等しい外径の胴部３３と、胴部３３の前面側に設けられた胴部３３より大径の鍔部３４とからなり、中心部には大径部３６と小径部３７からなる貫通孔３５が設けられている。そして、大径部３６と小径部３７との間には段部３８が形成されており、また、小径部３７の後面側には外方に拡径された傾斜面３９が設けられている。４０は胴部３３の外周に設け設けられた複数段（図には３段の場合が示してある）の係止対の一方である鋸歯状の係止部である。
【００１８】
凹はとめ４５は外径が凸はと目３２の鍔部３４の外径とほぼ等しく形成されており、中心部には凸はとめ３２の胴部３３の外径とほぼ等しい内径の貫通孔４６が設けられて、その内周面には凸はと目３２の胴部３３に設けた係止部４０に係止する係止対の他方である係止爪４７が設けられている。４８は外壁と貫通孔４６との間に設けられた凹溝である。上記の説明では、係止対を係止部４０と係止爪４７で形成した場合を示したが、これに限定するものではなく、例えば、雄ねじと雌ねじ、嵌合突部と嵌合凹部などによって構成してもよい。また、係止部４０と係止爪４７などの係止対は、凸はと目３２と凹はと目４５に、それぞれ逆に設けてもよい。
【００１９】
５０は必要に応じてはと目３１に組込まれる合成樹脂からなり弾性を有する吸盤で、ラッパ状の吸着部５１と、その背面側の中心部に設けた連結部５２と、連結部５２の先端部に設けた連結部５２より大径のフランジ部５３とからなり、連結部５２の外径は凸はとめ３２の貫通孔３５の小径部３７の内径より小さく、フランジ部５３の外径は上記小径部３７の内径より大きく、かつ大径部３６の内径より小さく形形成されている。なお、この吸盤５０は本発明に必須のものではなく、省略してもよい。
【００２０】
次に、上記のように構成した本体部１の組立手順の一例について説明する。
先ず、本体部１を中央部０から湾曲又は折曲げて両端部側の内面を重ね合わせて当接させ、上下のはと目孔２ａと２ａ、２ｂと２ｂをそれぞれ整合させる。このとき、湾曲又は折曲げた対向する本体部１の間には、中央部０の曲げ反発力により両側が開口したほぼ楕円形状の空間部４が形成される（図１参照）。ついで、凸はと目３２の胴部３３をはと目孔２ａ，２ｂに挿入して鍔部３４の背面を本体部１の表面（開口部３が設けられている側）に当接し、反対側に突出した胴部３３に凹はと目４５の貫通孔４６を嵌合して係止部４０に係止爪４７を係止させ、凹はと目４５の端面４９を当接した本体部１の背面からはと目孔２ａ，２ｂの外周に当接し、固定する。この場合、凸はと目３２の係止部４０は複数段設けてあるので、本体部１の板厚が異なる場合でも、板厚に応じて両者の相対位置を調整できるため、重ね合わせた本体部１を確実に固定することができる。これにより、開口部３と空間部４とにより小物保持部が形成された壁面等への取付部を有する小物ホルダーが形成される。この小物ホルダーは、はと目３１が目となり、開口部３が口となって、笑顔の蛙のようにみえる。
【００２１】
上記のように構成した小物ホルダーを壁面や家具に取付ける場合は、はと目３１に押しピンを差し込んで取付けたり、壁面等に取付けたＬ形フックにはと目３１を引掛けたり、吸盤を介して取付けたりすることができるが、以下、はと目３１に吸盤５０を組込んで取付ける場合について説明する。
吸盤５０はそのフランジ部５３を弾性変形させて凸はと目３１の傾斜面３９から貫通孔３５の小径部３７を経て大径部３６内に挿入して装着する。これにより、吸盤５０のフランジ部５３は凸はと目３２の貫通孔３５に設けた段部３８に阻止され、抜け出しが防止される。このときの状態を図４に示す。
【００２２】
このようにして吸盤５０が装着された小物ホルダーは、図５に示すように、吸盤５０により家具６０や壁面などに取付けられ、開口部３に新聞紙や雑誌など６１を挿入する。新聞紙等６１は、下端が空間部４の底面により支持され、ほぼ中間高さで開口部３により保持されるので、転倒することなく、しかも引出し易い。なお、上記のはと目３１は、以下に説明する他の実施の形態においても使用される。
【００２３】
図６は本実施の形態に係る小物ホルダーの他の例の斜視図及びその本体部の展開図である。
本例に係る小物ホルダーの本体部１は、図１の小物ホルダーの本体部１とほぼ同じ構造であるが、円弧状の開口部３に代えて、横方向に直線状の開口部３ａを設けたものである。これにより、はと目３１が目となり、開口部３ａが口となって真顔の蛙のようにみえる。なお、実施例では、本体部１を、縦Ｈ：３６０ｍｍ、横Ｗ：２００ｍｍ、板厚ｔ：０．７５ｍｍとした。
【００２４】
本例に係る小物ホルダーは、図１の小物ホルダーと同様の手順により組立てられ、はと目３１を利用して吸盤や押しピン、フック等により家具や壁面などに取付けて、小物保持部である開口部３ａに郵便物などを挿入する。
【００２５】
図７は本実施の形態に係る小物ホルダーの他の例の斜視図及びその本体部の展開図である。
本例の本体部１は、図１の本体部１とほぼ同じ構造であるが、円弧状の開口部３に代えて、上下方向に長い四角形の開口部３ｂを設けたものである。なお、図には開口部３ｂを２個設けた場合を示したが、１個でもよく、あるいは３個以上設けてもよい。実施例では、本体部１を、縦Ｈ：５２０ｍｍ、横Ｗ：１６５ｍｍ、板厚ｔ：０．７５ｍｍとした。
【００２６】
本例に係る小物ホルダーは、図１の小物ホルダーの場合と同様の手順で組立てられて、はと目３１を利用して吸盤や押ピン、フック等により家具や壁面などに取付けられる。そして、例えば、芯材に巻かれたラップやアルミ箔などが入れられた箱を、立てた状態で上方から開口部３ｂから空間部４内に挿入する。そして、箱の下端は空間部４の底面により支持され、箱の中間部は開口部３ｂの下辺で保持される。また、箱の上端は自由状態であるので出し入れが容易である。
【００２７】
図８は本実施の形態に係る小物ホルダーの他の例の斜視図及びその本体部の展開図である。なお、図１と同じ部分にはこれと同じ符号を付し、説明を省略する。
本例の本体部１は、図２の本体部１とほぼ同じ構造であるが、中央部０の上方に比較的小さい口状の開口部３ｃを設けたものである。なお、実施例では、各部の寸法を図１の本体部１の寸法と同じにした。
【００２８】
本実施の形態に係る小物ホルダーは、図１の場合と同様の手順で組立てられ、はと目３１を利用して家具や壁面などに取付けられる。そして、例えば、ティッシュペーパーが入れられた箱を横方向から小物保持部である空間部４内に挿入し、前面に設けた開口部３ｃからティッシュペーパーを引き出すようにしたものである。
【００２９】
図９は本実施の形態に係る小物ホルダーのさらに他の例の斜視図及びその本体部の展開図である。
本例は、図８の小物ホルダーとほぼ同じ構造であるが、本体部１がこれより小型で、中央部０より上方に口唇状の開口部３ｄを設けたものである。実施例では、本体部１を、縦Ｈ：２５０ｍｍ、横Ｗ：１４０ｍｍ、板厚ｔ：０．７５ｍｍとした。
【００３０】
本例に係る小物ホルダーは、図８の場合と同様の手順で組立てられ、はと目３１を利用して家具や壁面などに取付けられる。そして、例えば、ポケットティッシュペーパーが入れられた小形の箱やビニール袋を横方向から小物保持部である空間部４内に挿入し、前面に設けた開口部３ｄからティッシュペーパーを引き出すようにしたものである。
【００３１】
本実施の形態によれば、本体部１の湾曲又は折曲げ部を利用して空間部４を形成し、開口部３〜３ｄから小物を挿入し、あるいは引き出すようにしたので構造がきわめて簡単で安価であり、その上組立、家具や壁面などへの取付けも容易かつ確実で、使い勝手のよい小物入れを提供することができる。なお、開口部３〜３ｄは適宜増減することができる。
また、本体部１の中央部０から湾曲又は折曲げて両端部を重ね合わせた２枚のシートをはと目３１により固定したので剛性が高く、補強材等を用いる必要がない。このため、吸盤５０等により家具や壁面などに確実に取付けられるので、開口部３〜３ｄへの小物などの出し入れの際に力が加えられても変形したり落下したりすることがない。
さらに、この小物入れは、家具や壁面などにはと目３１を利用して取付けるようにしているので、必要に応じて所望の場所に容易に付けかえることができる。
【００３２】
［実施の形態２］
図１０は本発明の実施の形態２に係る小物ホルダーの斜視図、側面図、本体部の展開図及びそのＣ−Ｃ断面図である。
図において、１は曲げ弾性を有する合成樹脂シートからなり、上下が円弧状に形成されたほぼ四角形状の本体部で、上下の対称位置にははと目孔２が設けられている。また、上下方向の中央部０に跨って下端部が中央部０から若干下方に位置し、上部が幅広でほぼ中間部から下方が幅狭に形成されたほぼ羽子板状（Ｔ字状）の２つの開口部５が設けられている。実施例では、本体部１を、縦Ｈ：２１０ｍｍ、横Ｗ：５６ｍｍ、板厚ｔ：０．７５ｍｍとした。
【００３３】
次に、上記のように構成した本体部１の組立手順の一例について説明する。
先ず、本体部１を中央部０から内側（背面側）に湾曲又は折曲げて両端部側の内面を当接させて重ね合わせ、上下のはと目孔２を整合させる。このとき、湾曲又は折曲げた対向する本体部１の間には、中央部０の曲げ反発力により両側が開口したほぼ楕円形状の空間部４が形成される。ついで、凸はと目３２の胴部３３をはと目孔２に挿入して鍔部３４の背面を本体部１の表面（開口部５が設けられている側）に当接し、反対側に突出した胴部３３に凹はと目４５の貫通孔４６を嵌合して凹はと目４５の端面４９を、当接した本体部１の背面からはと目孔２の外周に当接させ、小物ホルダーを形成する。
【００３４】
上記のように構成した小物入れは、例えば洗面所の洗面台や壁面などに、はと目３１に押しピンを差込んだり、壁面等に取付けたＬ形フックにはと目３１を引掛けて取付けたり、あるいは、はと目３１に吸盤５０を組込んで取付けることができる。そして、例えば歯ブラシのブラシを小物保持部である開口部５の幅広部から空間部４内に挿入し、その下端部を幅狭部に係止させることにより、歯ブラシを吊下げて保持する。なお、図には開口部５を２個設けた場合を示したが、１個でもよい。
【００３５】
図１１は本実施の形態に係る小物ホルダーの他の例の斜視図及び本体部の展開図である。なお、図１０と同じ部分にはこれと同じ符号を付してある。
本例は、図１０の例の本体部１の横幅を広く形成し、四隅の対称位置にそれぞれはと目孔２ａ，２ｂを設けると共に、ほぼ羽子板状の開口部５を横方向に多数（図には５個の場合を示してある）並設したものである。実施例では、本体部１の縦Ｈ：２１０ｍｍ、横Ｗ：１５０ｍｍ、板厚ｔ：０．７５ｍｍとした。
【００３６】
本例の組立手順は図１０の場合とほぼ同様であるが、本体部１を中央部０から湾曲又は折り曲げて両端部を重ね合わせ、上下のはと目孔２ａと２ａ、２ｂと２ｂをそれぞれ整合させ、はと目３１により２か所で固定するようにしたものである。
本例の壁面等への取付けは図１０の場合と同様であるが、はと目３１を２か所に設けたので、より強固に取付けることができる。また、使用方法も図１０の場合と同様であるが、より多数の歯ブラシ等を吊り下げることができる。
【００３７】
図１２は本実施の形態に係る小物ホルダーのさらに他の例の斜視図及び本体部の展開図である。なお、図１０と同じ部分にはこれと同じ符号を付し、説明を省略する。
本例は、図１０の本体部１と同じ形状で同じ寸法の本体部１の中央部０に跨って、下端部が中央部０から若干下方に位置する１個の開口部５ａを設けたものである。この開口部５ａは、上部が幅広でその下部が幅狭に形成され（以下、この部分を中幅部という）、さらにその下部がより幅狭に形成された３段の幅によってほぼＶ字状に形成したものである。
【００３８】
本例の組立手順、壁面等への取付手段は図１０の場合と同様であり、小物保持部である開口部５ａには、例えば、安全カミソリの刃部を幅広部から中空部４に挿入し、刃部の下部を中幅部又は下部に係止させて吊下げ、保持する。
本実施の形態においても、実施の形態１とほぼ同様の効果を得ることができる。
【００３９】
［実施の形態３］
図１３は本発明の実施の形態３に係る小物ホルダーの斜視図、側面図及びその本体部の展開図である。なお、実施の形態１と同じ部分にはこれと同じ符号を付し説明を省略する。
本実施の形態は、やや縦長の四角形の本体部１の中央部０の近傍の上下の横方向に、中央部０から対称位置にかつ平行に２つの開口部６ａ，６ｂを設けたものである。なお、実施例では、本体部１の縦Ｈ：２１０ｍｍ、横Ｗ：２００ｍｍ、板厚ｔ：０．７５ｍｍとした。
【００４０】
本実施の形態においては、本体部１を中央部０から折曲げて両端部側を当接して重ね合わせ、はと目孔２ａと２ａ、２ｂと２ｂを整合させてはと目３１により固定する。このとき、中央部０をやや強く折曲げることにより、対向する本体部１の間にほぼへちま状の空間部４ａが形成され、また、両開口部６ａ，６ｂは対向して開口する。そして、開口部６ａ，６ｂに挟まれた中央部０は、折り曲げにより断面Ｖ字状に形成されており、支持棒７としての剛性が付与された小物保持部が形成される。
本実施の形態に係る小物ホルダーは、はと目３１を利用して家具や壁面などに取付けられ、両開口部６ａ，６ｂを通して例えばタオルや手拭などを支持棒７に掛けるようにしたものである。
本実施の形態において、支持棒７は本体部１の膨らみにより壁面等から離れているので、タオル等の掛け外しが容易であり、実施の形態１の場合とほぼ同様の効果を得ることができる。
【００４１】
［実施の形態４］
図１４は本発明の実施の形態４に係る小物ホルダーの斜視図、側面図及びその本体部の展開図である。なお、実施の形態１と同じ部分にはこれと同じ符号を付し、説明を省略する。
本実施の形態は、ほぼ四角形状の本体部１の中央部０より上方において、横方向に逆Ｕ字状の複数の切込み部８（スリット）を設け、これにより切込み部８の下端部を基部とする舌片９を形成したものである。実施例では、本体部１を、縦Ｈ：２１０ｍｍ、横Ｗ：２００ｍｍ、板厚ｔ：０．７５ｍｍとした。
【００４２】
本実施の形態に係る小物ホルダーは、実施の形態１の場合と同様の手順で組立てられ、はと目３１を利用して家具や壁面などに取付けられる。なお、本体部１の中央部０をやや強く折曲げることにより、対向する本体部１の間には両側が開口したほぼへちま状の空間部４ａが形成され、また、舌片９は切込み部８から前側に切り起こされて、本体部１の表面との間にすき間ｇが設けられ、舌片９により小物保持部が形成される。
本実施の形態においては、舌片９に例えばタオルやキーホルダーなどの小物をかけることができる。
【００４３】
図１５は本実施の形態に係る小物ホルダーの他の例の斜視図及びその本体部の展開図である。
本例は、ほぼ四角形状の本体部１の中央部０より上方において、横方向に、ほぼ半円状で両下端部が内側に拡幅されたほぼ逆Ｕ字状の複数の切込み部８ａを設け、これにより切込み部８ａの下端部を基部とし、かつ基部が幅狭のマッシュルーム状の舌片９ａを形成したものである。なお、実施例では、本体部１を、縦Ｈ：２１０ｍｍ、横Ｗ：２５０ｍｍ、板厚ｔ：０．７５ｍｍとした。
【００４４】
本例に係る小物ホルダーは、前記図１４の場合と同様の手順で組立てられ、はと目３１を利用して家具や壁面などに取付けれる。なお、本体部１を折曲げる際に、舌片９ａは前側に切り起こされて本体部１の前面との間にすき間ｇが設けられ、舌片９ａにより小物保持部が形成される。
本例においては、舌片９ａにタオルその他の衣類やキーホルダーなどの小物を掛けることができるが、舌片９ａの基部が幅狭に形成されているので、この部分に係止させることにより、物品をより確実に吊下げることができる。また、例えば、スーパーマーケット等で渡されるポリ袋（レジ袋）の２つの手提げ部を舌片９ａにそれぞれ引掛けて、上部が開口状態の収納袋として使用することができる。
本実施の形態は、本体部１に形成した舌片９，９ａを利用して小物を掛けるようにしたので使い勝手がよく、実施の形態１の場合とほぼ同様の効果を得ることができる。
【００４５】
図１６本実施の形態に係る小物ホルダーの他の例の斜視図及びその本体部の展開図である。なお、実施の形態１と同じ部分にはこれと同じ符号を付し、説明を省略する。
本例は、ほぼ四角形状の本体部１の上下の端部近傍の対称位置にそれぞれはと目孔２を設けると共に、中央部０の上方に逆Ｕ字状の切込み部８を設けて舌片９を形成したものである。実施例では、本体部１を縦Ｈ：２１０ｍｍ、横Ｗ：５６ｍｍ、板厚ｔ：０．７５ｍｍとした。
【００４６】
本例の小物ホルダーは、本体部１を中央部０から湾曲又は折り曲げて両端部側を当接して重ね合わせ、はと目孔２を整合させてはと目３１により一体に固定する。このとき、対向する本体部１の間にはほぼ楕円形状の空間部４が形成され、また、舌片９は斜め上方に切り起こされて本体部１との間にすき間ｇが設けられ、舌片９により小物保持部が形成される。
この小物ホルダーははと目３１を利用して家具や壁面などに取付けられ、舌片９にキーホルダーやタオル、手拭などの小物が掛けられる。
【００４７】
図１７は本実施の形態の他の例を示すもので、本例においては、図１６の本体部１に設けた逆Ｕ状の切込み部８及び舌片９に代えて、本体部１にＵ字状の切込み部８及び舌片９を設けたもので、その他の構成、組立手順等は、図１６の場合と同様であるが、本体部１を湾曲又は折り曲げることにより、舌片９は内側に切り起こされ（起伏され）、舌片９と空間部４とにより小物保持部が形成される。
本例に係る小物ホルダーは、タオルや手拭等の小物を保持させるためのものであり、タオル等の中間部を舌片９に押し付けると舌片９は奥側にたわみ、手を離すと手前に戻る。この動作により、タオル等は空間部４の底面と舌片９の先端で挾持されて保持される。タオル等を外すときは、引張ることにより舌片９が手前側にたわんで、簡単に外れる。
本実施の形態の効果も実施の形態１の場合とほぼ同様である。
【００４８】
［実施の形態５］
図１８は本発明の実施の形態５に係る小物ホルダーの斜視図、側面図及びその本体部の展開図である。なお、実施の形態１と同じ部分にはこれと同じ符号を付し、説明を省略する。
本実施の形態は、ほぼ四角形状の本体部１の中央部０の上下に亘って大きい開口部１０（この開口部１０の幅は後述の紙タオル６２の幅より若干大きい）を設け、この開口部１０の両側縁部に開口部１０の上下方向の高さより短かい張出し部１１を設け、その基部（開口部１０の側縁部側）の上下に、中央部０の近傍を残して切込み部１２を設けたものである。なお、実施例では、本体部１の縦Ｈ：３４０ｍｍ、横Ｗ：３００ｍｍ、板厚ｔ：０．７５ｍｍとした。
【００４９】
本実施の形態においても、中央部０を湾曲又は折り曲げて両端部側を重ね合わせてはと目孔２ａと２ａ、２ｂと２ｂを整合させ、はと目３１により固定して組立てられるが、さらに、張出し部１１をそれぞれ内側に湾曲又は折曲げて両先端部を重ね合わせ、両面テープ、接着剤等により接合して円筒状の支持部１３を形成し、開口部１０と支持部１３とにより小物保持部を形成したものである。なお、この支持部１３の外径は、後述の紙タオル６２の芯材の内径より小さく形成されている。
本実施の形態においては、一方の支持部１３に紙タオル６２の芯材の一端を嵌合し、他方の支持部１３を、本体部１の曲げ弾性を利用して外側に拡げるようにして移動し、紙タオル６２の芯材の他端に嵌合し、紙タオル６２が巻かれた芯材の両端部を支持部１３に回転可能に嵌合して、図１９に示すように、紙タオル６２を開口部１０内に支持させることにより、紙タオル６２を回転させながら容易に引出すようにしたものである。
本実施の形態は、本体部１の折曲げ部の剛性を利用して紙タオル６２を装着するようにしたので、実施の形態１の場合と同様の効果が得られ、その上紙タオル６２の着脱、支持及び引出しが容易である。
【００５０】
［実施の形態６］
図２０は本発明の実施の形態６に係る小物ホルダーの斜視図、側面図及びその本体部の展開図である。なお、実施の形態１と同じ部分にはこれと同じ符号を付し、説明を省略する。
本実施の形態は、図１６の本体部１の切込み部８と舌片９を省略した本体部１と、合成樹脂からなり、本体部１の中央部０から上方の形状とほぼ等しく、これとほぼ等しいか又は若干小さく形成されて上部にはと目孔２が設けられた透明な押えシート１４とからなるものである。なお、押えシート１４は半透明あるいは不透明であってもよい。
【００５１】
本実施の形態に係る小物ホルダーは、本体部１を中央部０から湾曲させて両端部側を当接して重ね合わせると共に、その前面側に押えシート１４を当接して各はと目孔２の位置を整合させ、はと目孔２を利用してはと目３１によりこれらを一体に固定する。この場合、押えシート１４は真直であるから、押えシート１４の下端は本体部１の膨出部の折線方向に延びており、本体部１との間に小物保持部である挿入口１４ａが形成される。そして、はと目３１を利用して家具や壁面などに取付けられ、本体部１とこの本体部１の中央部の曲げ反発力により、本体部１に圧接された押えシート１４の中間部との間に名刺やメモ用紙などを挟むようにしたものである。なお、本実施の形態においては、シートを３枚重ねた位置ではと目３１を装着することになるが、図３に示す本発明のはと目３２は、凸はと目３２に設けた係止部４０を複数段設けたので、被装着物（シート）の肉厚に応じて調整することができ、ガタつきを生じることがない。
【００５２】
本実施の形態は、本体部１とこれと一体に設けた押えシート１４との間に、押えシート１４の弾性を利用して名刺などを挟むようにしたので、簡単な構造で実施の形態１の場合とほぼ同様の効果を得ることができ、その上押えシート１４を透明にした場合は、名刺などを外さなくてもそのままの状態で内容を確認することができる。
【００５３】
［実施の形態７］
図２１は本発明の実施の形態７に係る小物ホルダーの斜視図、上面図及び側面図、図２２は図２１の本体部の展開図である。なお、実施の形態１と同じ部分には同じ符号が付してある。
本体部１は、図２２に示すように、上部が円弧状に形成され、両端部の下部が若干幅狭に形成された腕部１５と、腕部１５の中央部から下方に延設された脚部１６とによりほぼＴ字状に形成されており、腕部１５の両端部近傍の隅部の左右対称位置には第１のはと目孔２ａと第２のはと目孔２ｂがそれぞれ設けられており、脚部１６の下端部近傍には第３のはと目孔２ｃが設けられている。なお、１７は腕部１５の中央部の上下方向に設けた通気孔であるが、これは省略してもよい。実施例では、本体部１の縦Ｈ：２０７ｍｍ、横Ｗ：２１８ｍｍ、板厚ｔ：０．７５ｍｍとした。
【００５４】
次に、本実施の形態の組立手順の一例について説明する。
先ず、腕部１５を内側に湾曲又は折り曲げて、図２１（ｂ），（ｃ）に示すようにその両端部近傍１５ａ，１５ｂを重ね合わせ、第１のはと目孔２ａ，２ａと第２のはと目孔２ｂと２ｂをそれぞれ整合させ、第１のはと目孔２ａ，２ａをはと目３１により固定する。ついで、脚部１６を内側に湾曲又は折り曲げて第３のはと目孔２ｃを第２のはと目孔２ｂ，２ｂと整合させ、はと目３１により固定する。なお、腕部１５の第１、第２のはと目孔２ａ，２ａ，２ｂ，２ｂ及び脚部の第３のはと目孔２ｃをすべて整合させたのち、はと目３１で固定してもよい。これにより、上部に前面側が僅かに下方に傾斜した開口部を有し、底部に脚部１６が設けられた小物保持部である円筒状の収容部１８を備えた小物ホルダーが形成される。
【００５５】
このような小物ホルダーは、例えば、洗面所や浴場の壁面などに取付けられ、化粧品容器、歯磨きチューブあるいは電気カミソリなどの小物が収容部１８に収容される。
本実施の形態は、本体部１を湾曲させて腕部１５の両端部近傍及び脚部１６を重ね合わせてはと目３１で固定したので、剛性の高い小物入れを得ることができる。また、収容部１８を円筒状に形成したので、小物を確実に収容することができる。
【００５６】
図２３は本実施の形態の他の例の斜視図及び吸盤を取外した状態の上面図、図２４は図２３の吸盤を取外した状態の背面図、図２５は図２３の本体部の展開図である。なお、図２１、図２２と同じ部分には同じ符号が付してある。
本例は、図２１の小物ホルダーの収容部１８を２個並設したものである。
【００５７】
本体部１は、図２２の本体部１とほぼ同じ形状、寸法の腕部１５Ａ，１５Ｂを連結部１５Ｃを介して横方向に連接した形状のもので、両端部近傍にはと目孔２ａ，２ａと２ｂ，２ｂを有する第１の腕部１５Ａと、両端部近傍にはと目孔２ｄ，２ｄと２ｅ，２ｅを有する第２の腕部１５Ｂとを僅かに下方が幅狭の連結部１５Ｃ（実施例では、横Ｗ1：７０ｍｍとした）により連結して一体化し、はと目孔２ｃ，２ｆを有し両腕部１５Ａ，１５Ｂの中央部から下方に延設され第１、第２の脚部１６ａ，１６ｂとにより、ほぼπ字状に形成したものである。
【００５８】
上記のような本体部１を組立てるには、先ず、第１の腕部１５Ａを内側に湾曲又は折り曲げてはと目孔２ａと２ａ、２ｂと２ｂをそれぞれ重ね合わせて整合させ、はと目孔２ａ，２ａをはと目３１により固定する。ついで、第２の腕部１５Ｂを内側に湾曲又は折り曲げてはと目孔２ｄと２ｄ、２ｅと２ｅをそれぞれ重ね合わせて整合させ、はと目孔２ｄ，２ｄをはと目３１により固定する。次に、第１の脚部１６ａを内側に湾曲又は折り曲げて、そのはと目孔２ｃをはと目孔２ｂ，２ｂと整合させてはと目３１で固定すると共に、第２の脚部１６ｂを内側に湾曲又は折り曲げてそのはと目孔２ｆをはと目孔２ｅ，２ｅと整合させ、はと目３１で固定する。なお、この手順はこれに限定するものではなく、他の手順によってもよい。
【００５９】
これにより、前面側が僅かに下方に傾斜した開口部を有し、底部に脚部１６ａ，１６ｂが設けられた小物保持部である円筒状の２個の収容部１８ａ，１８ｂを備えた小物ホルダーが形成される。
本例の小物ホルダーの取付け、小物の収容方法等は図２１の小物入ホルダーの場合と同様であるが、２個の収容部１８ａ，１８ｂを設けたので、より多くの小物を収容することができる。
本実施の形態においても、実施の形態１の場合とほぼ同様の効果を得ることができる。
【００６０】
［実施の形態８］
図２６は本発明の実施の形態８に係る小物ホルダーの斜視図、上面図及び側面図、図２７は図２６の本体部の展開図である。なお、実施の形態１と同じ部分には同じ符号が付してある。
本体部１は中央部に設けられた舌片状の保持部１９ａと、その下部両側に設けられ、左右の対称位置にはと目孔２ａ，２ｂが設けられた固定片１９ｂ，１９ｃとによりほぼＷ字状に形成されている。なお、１７ａは保持部１９ａに設けた通気孔であるが、これは省略してもよい。実施例では、本体部１は、縦Ｈ：９０ｍｍ、横Ｗ：１１３ｍｍ、板厚ｔ：０．７５ｍｍとした。
【００６１】
上記のような小物ホルダーを組立てるには、両固定片１９ｂ，１９ｃを内側に湾曲又は折り曲げて重ね合わせ、はと目孔２ａと２ａ、２ｂと２ｂを整合させてそれぞれはと目３１で固定する。
これにより、固定部１９ｂ，１９ｃとの間に空間部を隔てて前面側に小物保持部である保持片１９ａが立設され、下部が開口された小物ホルダーが形成される。
【００６２】
上記のような小物ホルダーは、例えば洗面所や流し台の近傍の壁面等に取付けられ、例えばコップを逆さにして保持部１９ａに嵌合して保持される。
本実施の形態においても実施の形態１とほぼ同様の効果を得ることができる。
【００６３】
［実施の形態９］
図２８は本発明の実施の形態９に係る小物入れの斜視図及び本体部の展開図である。なお、実施の形態１と同じ部分には同じ符号を付してある。
本体部１はほぼ四角形状に形成され、四隅の対称位置にはそれぞれはと目孔２ａ，２ｂが設けられている。そして、上下方向の中央部０より上方にはほぼコ字状の切り込み部２０が設けられており、この切り込み部２０で囲まれた舌片状の部分には複数の水抜孔２２が設けられている。実施例では、本体部１の縦Ｈ：２１０ｍｍ、横Ｗ：１５０ｍｍ、板厚ｔ：０．７５ｍｍとした。
【００６４】
上記のような本体部１を組立てるには、本体部１を中央部０から内側（背面側）に湾曲又は折り曲げて、両端部を重ね合わせてはと目孔２ａと２ａ、２ｂと２ｂを整合させ、それぞれはと目３１で固定する。このとき、切り込み部２０で囲まれた舌片状の部分は中央部０から切り起こされてほぼ水平になり、水抜孔２２を有する小物保持部である載置部２１が形成される。
【００６５】
上記のように形成した小物ホルダーは、例えば流し台のシンク部や洗面台の水槽などの側壁に取付けられて載置部２１をシンク部や水槽内に位置させ、載置部２１に石鹸やたわしなどの小物が載せられる。
本実施の形態においても、実施の形態１とほぼ同様な効果が得られる。なお、水抜孔２２を有する載置部２１を流し台のシンク部内等に位置させたので、載置部２１に水が溜ったりシンク部外に流れ出すこともない。
【００６６】
［実施の形態１０］
図２９は本発明の実施の形態１０に係る水物ホルダーの正面図、側面図及び本体部の展開図である。なお、実施の形態９と同じ部分には同じ符号を付してある。
本体部１は、上部にはと目孔２ａ，２ｂを有しスリット状の狭いすき間を隔てほぼ平行に設けられた第１，第２の固定片２３ａ，２３ｂと、その下に設けられて両固定片２３ａ，２３ｂの下部が一体に連結された半円状の連結部とによりほぼＵ字状に形成されており、連結部から固定片２３ａ，２３ｂの下部にかけて複数の水抜孔２２が設けられている。実施例では、本体部１の縦Ｈ：１６３ｍｍ、横Ｗ：１３５ｍｍ、板厚ｔ：０．７５ｍｍとした。
このような本体部１により小物ホルダーを組立てるには、一方の固定片（例えば２３ｂ）の上部を他方の固定片２３ａ上部に重ね合わせてはと目孔２ａ，２ｂを整合させ、はと目３１で固定する。これにより、連結部によって小物保持部であるほぼ皿状の載置部２１ａが形成される。
【００６７】
このような小物ホルダーは、載置部２１ａを例えば流し台のシンク部や洗面台の水槽の上に位置させ、はと目３１に取付けた吸盤５０によりシンク部等の周辺に水平に取付ける。そして、載置部２１ａに石鹸やたわしなどの小物を載せる。
本実施の形態によれば、実施の形態９とほぼ同様な効果が得られるが、特に構造がきわめて簡単で組立も容易である。
【００６８】
［実施の形態１１］
図３０は本発明の実施の形態１１に係る小物入れの斜視図、上面図及び側面図、図３１は図３０の本体部の展開図である。なお、実施の形態８、９と同じ部分にはこれと同じ符号を付してある。
【００６９】
本体部１は、図３１に示すように、ほぼ円形又は楕円形状の大きな開口部２５ａ，２５ｂとその間に設けられた小さな開口部２５ｃ、及びこの開口部２５ｃの反対側（前面側）に設けられ一端が後述の底部２６に達する門型の開口部２５ｄを有する横長の前面部２４と、複数の水抜孔２２を有し前面部２４の一方の側に連続しかつこれより幅狭の底部２６と、前面部２４と底部２６の両側に設けられた固定片２７ａ，２７ｂとからなり、固定片２７ａ，２７ｂの対称位置にははと目孔２ａ，２ｂが設けられている。なお、２６ａは底部２６との境界において固定片２７ｂに設けたスリットにより形成された切り起し片であるが、これは省略してもよい。実施例では、本体部１の縦Ｈ：２３１ｍｍ、横Ｗ：１６６ｍｍ、板厚ｔ：０．７５ｍｍとした。
【００７０】
上記のような本体部１を組立てるには、底部２６を破線の位置から内側に折曲げると共に、固定片２７ａ，２７ｂを破線の位置からそれぞれ内側に折曲げて重ね合わせ、はと目孔２ａと２ａ、２ｂと２ｂを整合させてはと目３１でそれぞれ固定する。
これにより、前面部２４が湾曲して円弧状に形成され、前面部２４と底部２６との間に空間部４を有し、開口部２５ａ〜２５ｄと底部２６との間に小物保持部が形成された側面ほぼ三角形状の小物ホルダーが形成される。
【００７１】
このような小物ホルダーは、流し台や洗面台の近傍の側壁あるいはこれらのシンク部や水槽の側壁などに取付けられ、大きな開口部２５ａ，２５ｂには例えば洗剤容器やスプレー缶などの小物が挿入されて底部２６上に載置され、小さい開口部２５ｃには縦型のケース等が挿入される。また、開口部２５ｄには前面側から底部２６上に横形のケースなどの小物が挿入される。
本実施の形態も実施の形態１とほぼ同様の効果が得られるが、さらに、１個の小物入れに各種の小物を収容することができるので、きわめて便利である。
【００７２】
［実施の形態１２］
図３２は本発明の実施の形態１２に係る小物ホルダーの斜視図、側面図及び本体部の展開図である。なお、実施の形態１１と同じ部分にはこれと同じ符号を付してある。
本体部１は中心部にほぼ円形状又は楕円形状の大きな開口部２９ａを有し、その両側にほぼ円形状又は楕円形状の小さな開口部２９ｂ，２９ｃが設けられ、両側が円弧状に形成された縦長の上面部２８と、この上面部２８の上下に設けた固定片３０ａ，３０ｂとからなり、固定片３０ａ，３０ｂの対称位置にははと目孔２ａ，２ｂが設けられている。
【００７３】
上記のような本体部１を組立てるには、上面部２８を湾曲させると共に固定部３０ａ，３０ｂを破線の位置から内側に折り曲げて重ね合わせ、はと目孔２ａと２ａ、２ｂと２ｂを整合させてはと目３１により固定する。
これにより、上面に開口部２９ａ〜２９ｃを有し、空間部４が形成されて開口部２９ａ〜２９ｃと底部（固定片３０ａ，３０ｂ）との間に側面ほぼ門型の小物保持部を有する小物ホルダーが形成される。
このような小物ホルダーは、例えば洗面台のテーブル上に立てた状態で取付けて、大きな開口部２９ａに歯磨きチューブを、小さい開口部２９ｂ，２９ｃに歯ブラシを立てて挿入するなどして収容する。
【００７４】
図３３は本実施の形態に係る小物ホルダーの他の例を示す斜視図及び本体部の展開図である。なお、図３２と同じ部分にはこれと同じ符号を付し、説明を省略する。
本例は、本体部１の上面部２８にほぼ円形状又は楕円形状の２つの開口部２９ｄ，２９ｅを並設したもので、その組立手順は、図３２の場合と同様である。なお、開口部２９ｄ，２９ｅは１個だけでもよく、３個以上設けてもよい。
【００７５】
このような小物ホルダーは、例えば洗面台のテーブル上に立てた状態で取付けて、一方の開口部２９ｄに歯磨きチューブを、他方の開口部２９ｅにシェービングフォームの缶を立てて挿入するなどして収容する。
本実施の形態においても、実施の形態１とほぼ同様の効果を得ることができる。
【００７６】
上記の説明では、図３に示すはと目３１により、重ね合わせたシートのはと目孔２を固定する場合を示したが、はと目３１はこれに限定するものではなく、吸盤５０を取付けうるものであれば他の構造のものであってもよい。
また、各実施の形態の本体部１について、各部の寸法を数値で示したが、これらはその一例を示すものであって、適宜変更することができる。
【図面の簡単な説明】
【００７７】
【図１】本発明の実施の形態１に係る小物ホルダーの斜視図及びその側面図である。
【図２】図１の本体部の展開図、上面図、側面図及びＡ−Ａ断面図である。
【図３】図１のはと目の分解図である。
【図４】図３の吸盤付きはと目を本体部に装着した状態を示す正面図及びそのＢ−Ｂ断面図である。
【図５】実施の形態１の小物ホルダーの使用状態の一例の斜視図である。
【図６】実施の形態１の他の例の斜視図及び本体部の展開図である。
【図７】実施の形態１の他の例の斜視図及び本体部の展開図である。
【図８】実施の形態１の他の例の斜視図及びその本体部の展開図である。
【図９】実施の形態１の他の例の斜視図及びその本体部の展開図である。
【図１０】本発明の実施の形態２に係る小物ホルダーの斜視図、側面図、本体部の展開図及びそのＣ−Ｃ断面図である。
【図１１】実施の形態２の他の例の小物ホルダーの斜視図及び本体部の展開図である。
【図１２】実施の形態２のさらに他の例の小物ホルダーの斜視図及び本体部の展開図である。
【図１３】本発明の実施の形態３に係る小物ホルダーの斜視図、側面図及びその本体部の展開図である。
【図１４】本実施の形態４に係る小物ホルダーの斜視図、側面図及びその本体部の展開図である。
【図１５】実施の形態４の他の例の斜視図及びその本体部の展開図である。
【図１６】実施の形態４の他の例の斜視図及びその本体部の展開図である。
【図１７】実施の形態４の他の例の斜視図及びその本体部の展開図である。
【図１８】本発明の実施の形態５に係る小物ホルダーの斜視図、側面図及びその本体部の展開図である。
【図１９】実施の形態５の小物ホルダーの使用状態を示す斜視図である。
【図２０】本発明の実施の形態６に係る小物ホルダーの斜視図、側面図及びその展開図である。
【図２１】本発明の実施の形態７に係る小物ホルダーの斜視図、上面図及び側面図である。
【図２２】図２１の本体部の展開図である。
【図２３】実施の形態７の他の例の小物ホルダーの斜視図及び吸盤を取外した状態の上面図である。
【図２４】図２３の吸盤を取外した状態の背面図である。
【図２５】図２３の本体部の展開図である。
【図２６】本発明の実施の形態８に係る小物ホルダーの斜視図、上面図及び側面図である。
【図２７】図２６の本体部の展開図である。
【図２８】本発明の実施の形態９に係る小物ホルダーの斜視図及び本体部の展開図である。
【図２９】本発明の実施の形態１０に係る小物ホルダーの正面図、側面図及び本体部の展開図である。
【図３０】本発明の実施の形態１１に係る小物ホルダーの斜視図、上面図及び側面図である。
【図３１】図３０の本体部の展開図である。
【図３２】本発明の実施の形態１２に係る小物ホルダーの斜視図、側面図及び本体部の展開図である。
【図３３】実施の形態１２の他の例の小物ホルダーの斜視図及び本体部の展開図である。
【符号の説明】
【００７８】
１  本体部、２  はと目孔、３，５，６，１０，２５，２９  開口部、４  空間部、７  支持棒、８，１２，２０  切り込み部、９  舌片、１３  支持部、１４  押えシート、１５  腕部、１６  脚部、１８  収容部、１９ａ  保持部、１９ｂ，１９ｃ，２３ａ，２３ｂ，２７ａ，２７ｂ，３０ａ，３０ｂ  固定片、２１  載置部、２２  水抜孔、２４  前面部、２６  底部、２８  上面部、３１  はと目、３２  凸はと目、４５  凹はと目、５０  吸盤。
【図１】
2005028112.tif 000003
【図２】
2005028112.tif 000004
【図３】
2005028112.tif 000005
【図４】
2005028112.tif 000006
【図５】
2005028112.tif 000007
【図６】
2005028112.tif 000008
【図７】
2005028112.tif 000009
【図８】
2005028112.tif 000010
【図９】
2005028112.tif 000011
【図１０】
2005028112.tif 000012
【図１１】
2005028112.tif 000013
【図１２】
2005028112.tif 000014
【図１３】
2005028112.tif 000015
【図１４】
2005028112.tif 000016
【図１５】
2005028112.tif 000017
【図１６】
2005028112.tif 000018
【図１７】
2005028112.tif 000019
【図１８】
2005028112.tif 000020
【図１９】
2005028112.tif 000021
【図２０】
2005028112.tif 000022
【図２１】
2005028112.tif 000023
【図２２】
2005028112.tif 000024
【図２３】
2005028112.tif 000025
【図２４】
2005028112.tif 000026
【図２５】
2005028112.tif 000027
【図２６】
2005028112.tif 000028
【図２７】
2005028112.tif 000029
【図２８】
2005028112.tif 000030
【図２９】
2005028112.tif 000031
【図３０】
2005028112.tif 000032
【図３１】
2005028112.tif 000033
【図３２】
2005028112.tif 000034
【図３３】
2005028112.tif 000035